(57)【要約】【課題】  便座固定プレートを介して便座本体を便器に取付け固定する構造において、Ｔ型ボルトの締め付けが弱い等の若干の不具合があっても、掃除、手入れ等の必要から便座本体をずらしても便座固定プレートが一緒にずれてしまうことや、さらには取れてしまうという事態を未然に防止する。【解決手段】  Ｔ型ボルト８の締め付けによって便器３に固定される便座固定プレート６に対して便器３前方からのスライドとその逆方向へのスライドにより便座本体の取付けを可能とした便器への便座本体の取付け構造において、  Ｔ型ボルト８のフランジ部８Ａは平面形状が四辺形であり、  Ｔ型ボルト８が長孔６Ｂに挿通され、フランジ部８Ａが表面部に係止される便座固定プレート６では、Ｔ型ボルトフランジ部８Ａの配置位置よりも後方に、その前端部がＴ型ボルトフランジ部８Ａに引掛るズレ防止板部１０が配設されているものとする。【選択図】図１
2006271486.tif 000002
【特許請求の範囲】
【請求項１】
Ｔ型ボルトの締め付けによって便器に固定される便座固定プレートに対して便器前方からのスライドとその逆方向へのスライドにより便座本体の取付けを可能とした便器への便座本体の取付け構造において、Ｔ型ボルトのフランジ部は平面形状が四辺形であり、Ｔ型ボルトが長孔に挿通され、フランジ部が表面部に係止される便座固定プレートでは、Ｔ型ボルトフランジ部配置位置よりも後方に、その前端部がＴ型ボルトフランジ部に引掛るズレ防止板部が配設されていることを特徴とする便座本体の取付け構造。
【請求項２】
ズレ防止板部は、長孔の両側に設けられていることを特徴とする請求項１の便座本体の取付け構造。
【請求項３】
Ｔ型ボルトのフランジ部は、長辺と短辺との四辺形を有するとともに、便座固定プレートのズレ防止板部は、その前端部にＴ型ボルトフランジ部の長辺よりは幅が狭く、短辺が進入可能な切り欠き部を有し、フランジ部長辺は切り欠き部前方で、短辺は切り欠き部で引掛るようにしたことを特徴とする請求項１または２の便座本体の取付け構造。
【発明の詳細な説明】
【技術分野】
【０００１】
本願発明は、便座の便器への取付け構造に関するものである。
【背景技術】
【０００２】
従来より、便器への便座の取付け固定については、たとえば図３に示したように、便座本体１の下面側よりＴ型ボルト２を垂下させ、このＴ型ボルト２を、図４に示したように、便器３に設けた穴部４に挿通し、便器３の下裏部においてナット５で締めつけることで取付け固定する構造が一般的なものとして知られている（たとえば特許文献１〜３）。
【０００３】
しかし、このような取付け構造の場合には、便座本体１の取付けや取外しが簡易でなく、便座本体１と便器３との間の隙間の掃除も困難であるという問題があった。そこで、近年では、このような問題点を解決するものとして、たとえば図５に示したように、便座固定プレート６を便器３にあらかじめ固定し、この便座固定プレート６に設けたガイド部６Ａに、便座本体１の下面部の差し込み部７を差し込むことで、簡便に便座本体１の便器３への取付けと取外しを可能とした構造が開発されている。この構造においては、便座固定プレート６は、Ｔ型ボルト８により、便座固定プレート６の長孔６Ｂと便器３に設けた穴部への挿通、そして便器３の下裏部でのナット９による締め付けにより便器３に固定されている。そして、便器３に固定されたこの便座固定プレート６の取付けにおいて、便座本体１の下面部の差し込み部７の便座固定プレート６のガイド部６Ａの差し込みは、たとえば、図中の矢印に沿って、便器３の前方からの便座本体１のスライド操作によって可能とされている。
【０００４】
この取付け構造においては、便座固定プレート６の長孔６Ｂの横長さに対してのＴ型ボルト８の配設位置によって、便座固定プレート６の便器に対しての取付け位置が前方Ｘもしくは後方Ｙに向って変更されることになる。これにともなって便座本体の便器に対しての取付け位置も前後方向に変更されることになる。
【０００５】
ただ、便座固定プレートを介して取付け固定する上記のような構造の場合には、取付け、取外しが比較的簡易になり、便座本体１下面やその便器との間の掃除は容易になるという利点があるものの、Ｔ型ボルト８による締め付けが弱かったり、便器３の表面に凹凸がある場合等には、掃除、手入れ等の必要から便座本体１を図５の矢印とは逆の便器３前方にずらす際に、便座固定プレート６が便座本体１と一緒にずれてしまうことや、場合によっては便座本体１と一緒に便座固定プレート６が取れてしまうという事態が生じかねないという問題があった。
【０００６】
便座本体がずれたり、取れてしまうと、再度取付けようとする場合に大きな支障が生じ、所定位置への取付けや、取付けそのものが難しくなる。
【特許文献１】特開２００３−１２９５４７号公報
【特許文献２】特開２０００−６０７６７号公報
【特許文献３】特開２００３−１４４３５１号公報
【発明の開示】
【発明が解決しようとする課題】
【０００７】
本願発明は、以上のような背景から、上記のとおりの便座固定プレートを介して便座本体を便器に取付け固定する構造において、Ｔ型ボルトの締め付けが弱い等の若干の不具合があっても、掃除、手入れ等の必要から便座本体をずらしても便座固定プレートが一緒にずれてしまうことや、さらには取れてしまうという事態を未然に防止することのできる、便座本体の便器への取付け構造を提供することを課題としている。
【課題を解決するための手段】
【０００８】
本願発明の便座本体の取付け構造は、上記の課題を解決するものとして、以下のことを特徴としている。
【０００９】
第１：Ｔ型ボルトの締め付けによって便器に固定される便座固定プレートに対して便器前方からのスライドとその逆方向へのスライドにより便座本体の取付けを可能とした便器への便座本体の取付け構造において、Ｔ型ボルトのフランジ部は平面形状が四辺形であり、Ｔ型ボルトが長孔に挿通され、フランジ部が表面部に係止される便座固定プレートでは、Ｔ型ボルトフランジ部配置位置よりも後方に、その前端部がＴ型ボルトフランジ部に引掛るズレ防止板部が配設されている。
【００１０】
第２：ズレ防止板部は、長孔の両側に設けられている。
【００１１】
第３：Ｔ型ボルトのフランジ部は、長辺と短辺との四辺形を有するとともに、便座固定プレートのズレ防止板部は、その前端部にＴ型ボルトフランジ部の長辺よりは幅が狭く、短辺が進入可能な切り欠き部を有し、フランジ部長辺は切り欠き部前方で、短辺は切り欠き部で引掛るようにしている。
【発明の効果】
【００１２】
上記の本願第１の発明によれば、便座固定プレートを介して便座本体を便器の取付け固定する構造において、Ｔ型ボルトの締め付けが弱い等の若干の不具合があっても、掃除、手入れ等の必要から便座本体をずらしても、Ｔ型ボルトが長孔に挿通され、平面四辺形のフランジが表面部に係止される便座固定プレートでは、Ｔ型ボルトフランジ部配置位置よりも後方に、その前端部がＴ型ボルトフランジ部に引掛るズレ防止板部が配設されていることから、このズレ防止板部の存在によって、便座固定プレートが一緒にずれてしまうことや、さらには取れてしまうということはない。
【００１３】
ズレ防止板部によって、便座固定プレートのずれが未然に防止されることになる。
【００１４】
また、本願の第２の発明によれば、ズレ防止板部は便座固定プレートの長孔の両側に設けられることから、上記の第１の発明の効果に加えて、長孔の横長さを特段に制約しなくとも、ズレ防止板部の配設位置から、便座本体の取付け位置を容易に設定することができる。
【００１５】
さらにまた、本願の第３の発明によれば、機種によって相違する便座奥行き寸法に対応して、ズレ防止板部でのＴ型ボルトフランジ部の引掛けが２段階で可能とされ、便座本体の取付け位置を可変とすることができる。
【発明を実施するための最良の形態】
【００１６】
本願発明は上記のとおりの特徴をもつものであるが、以下にその実施の形態について説明する。
【００１７】
添付した図面の図１は、本願発明の一実施形態を例示した概要斜視図である。この実施形態では、その前提として、図５の構造について説明したように、Ｔ型ボルト８の締め付けによって便器３に固定される便座固定プレート６に対して便器３の前方からのスライドとその逆方向へのスライドにより便座本体１の取付けを可能としている。そして、図１のように、Ｔ型ボルト８のフランジ部８Ａの平面形状は四辺形とされており、このＴ型ボルト８が長孔６Ｂに挿通され、Ｔ型ボルト８のフランジ部８Ａが表面部に係止される便座固定プレート６では、Ｔ型ボルト８のフランジ部８Ａの配置位置よりも後方、すなわち便器３の奥側に、その前端部がＴ型ボルト８のフランジ部８Ａに引掛るズレ防止板部１０が配設されている。このズレ防止板部１０の存在によって、上記のように便座本体１を図中矢印Ｘ方向に、つまり便器前方にスライドさせてずらしても、便座本体１と一緒に便座固定プレート６がずれることはない。便座固定プレート６が一緒にずれようとしても、Ｔ型ボルト８のフランジ部８Ａにズレ防止板部１０の前端部が引掛かってしまい便座固定プレート６が移動してずれを生じることはないからである。
【００１８】
便座固定プレート６に配設されるズレ防止板部は、Ｔ型ボルト８の四辺形フランジ部を引掛けることができれば、特に平板状のものでなくてもよく、突起や突条、あるいはブロック体等の適宜の形状、大きさ、厚みを有するものであってよい。また、便座固定プレート６に対しては樹脂一体成形として配置されてもよいし、接着剤等による配設固定であってもよい。そしてまた、その配設位置は可変とされていてもよい。ズレ防止板部１０の配設位置によって、Ｔ型ボルト８の締め付け位置と便座本体１の便座固定プレート６への差し込みスライドによる取付け固定位置も定まることになる。
【００１９】
このことから、ズレ防止板部１０の存在は、一方で、便器３に対しての便座固定プレート６のＴ型ボルト８による取付けの位置や便座本体１の取付け位置を制約する可能性がある。
【００２０】
また、便器、便座本体は機種により奥行き寸法が相違する。
【００２１】
このことから、上記のように、ズレ防止板部１０の配設によって便座固定プレート６のずれを効果的に防止するとともに、ズレ防止板部１０の配設による便座本体の取付け位置の制約を緩和して、便器の設置場所、施工条件、そして機種の相違にも対応できるようにすることが望ましい。
【００２２】
このような観点からは、便座固定プレート６に設けた長孔６Ｂのサイズを定格なものとして利用し、図１のように、長孔６Ｂに対し、その両側にズレ防止板部１０を設けることも有効である。
【００２３】
図２は本願発明の別の実施形態を例示した概要斜視図である。この実施形態では、Ｔ型ボルト８のフランジ部８Ａは、長辺８ＡＬと短辺８ＡＳとの四辺形を有するとともに、便座固定プレート６のズレ防止板部１０は、その前端部にＴ型ボルトフランジ部８Ａの長辺８ＡＬの長さよりは幅Ｗが狭く、短辺８ＡＳが進入可能な切り欠き部１１を有し、フランジ部８Ａの長辺８ＡＬは切り欠き部１１前方で、短辺８ＡＳは切り欠き部１１で引掛るようにしている。
【００２４】
このような切り欠き部１１の配設によって、便座本体１をより前方に取付けたい場合にはフランジ部８Ａの長辺８ＡＬが図２左の場合のようにズレ防止板部１０の前端部に引掛るように、一方、便座本体１をより後方に取付けたい場合には、フランジ部８Ａの短辺８ＡＳが図２右の場合のように切り欠き部１１後端部に引掛るように、各々、Ｔ型ボルト８のフランジ部８Ａの取付け向きを変更すればよい。Ｔ型ボルト８の長辺８ＡＬと短辺８ＡＳの各々の長さと切り欠き部１１の切り欠きの前後方向の深さによって、便座本体１の取付け位置が定まることになる。
【００２５】
以上いずれの場合であっても、掃除や手入れ等の必要から、便座本体１の便器前方へのスライド引出しに際しても、ズレ防止板部１０のＴ型ボルト８のフランジ部８Ａへの引掛かりによって、便座固定プレート６が一緒にずれたり、さらには取れてしまうという事態が生じることはない。
【図面の簡単な説明】
【００２６】
【図１】本願発明の取付け構造の一実施形態を例示した概要斜視図である。
【図２】別の実施形態を例示した概要斜視図である。
【図３】従来の取付け構造について便座本体の下面部を示した斜視図である。
【図４】図３に対応する全体構造の概要を示した分解斜視図である。
【図５】便座固定プレートを用いる取付け構造を示した概要斜視図である。
【符号の説明】
【００２７】
１  便座本体
２  Ｔ型ボルト
３  便器
４  穴部
５  ナット
６  便座固定プレート
６Ａ  ガイド部
６Ｂ  長孔
７  差し込み部
８  Ｔ型ボルト
８Ａ  フランジ部
８ＡＬ  長辺
８ＡＳ  短辺
９  ナット
１０  ズレ防止板部
１１  切り欠き部
【図１】
2006271486.tif 000003
【図２】
2006271486.tif 000004
【図３】
2006271486.tif 000005
【図４】
2006271486.tif 000006
【図５】
2006271486.tif 000007